(57)【要約】  【課題】作業現場での危険性の予測及び作業性の安全を確保するに止まらず、設置作業性に優れ、保管スペースの削減ができ、しかも、横風が当たっても転倒し難い安全器材を、簡単な構造で提供すること。  【解決手段】略台形板状に形成されたボード本体１１と、該ボード本体１１の下端部１２を固定するベース部１６とからなり、該ベース部１６に中央孔１７が穿設されており、前記ボード本体１１の上方からベース部１６の中央孔１７に嵌挿させその下端部１２を固定する安全器材１０と、ベース部の上面に固定部を備えこの固定部に前記ボード本体の下端部を締結手段にて固定するものがあり、前記ボード本体１１の上方に孔１３が穿設されているところに特徴がある。  【選択図】  図２
2005139787.tif 000002
【特許請求の範囲】
【請求項１】
板状に形成されたボード本体と、該ボード本体の上方から嵌挿されその下端部を固定するベース部とからなることを特徴とする安全器材。
【請求項２】
板状に形成されボード本体と、前記ボード本体の下端部を固定する固定部を有するベース部とからなることを特徴とする安全器材。
【請求項３】
ボード本体と、該ボード本体の形状と相似的な形状を有する切込みを有するベース部との間が蝶番にて回動自在に連結されており、前記切込み内にボード本体を収納できることを特徴とする安全器材。
【請求項４】
前記ボード本体の上方に孔を穿設したことを特徴とする請求項１〜３のいずれかに記載の安全器材。
【発明の詳細な説明】
【技術分野】
【０００１】
本発明は、危険の予測や作業の安全を確保するために作業現場や道路などに設置される安全器材に関するものである。
【背景技術】
【０００２】
土木工事や建築工事などの作業現場における危険性の予測及び作業性の安全を確保するために使用する従来の係る安全器材として、上方に向けて縮経する円錐形状に型成形されその表面に横縞或いは斜縞が彩色された合成樹脂製のセーフティーコーン本体を立設したセーフティーコーンが汎用されている。
【０００３】
また、セーフティーコーンの本体部分を展開した時の形状と相似的な扇形状をした化粧コートを円錐形に形成し、これをセーフティーコーンのコーン本体に着脱自在に装着させ、前記化粧コーンに各種の模様や図案などを描きあるいは、描けるようにしたものが提案されている（特許文献１）。
【０００４】
【特許文献１】実開平７−４５２０号公報、（請求項１）
【発明の開示】
【発明が解決しようとする課題】
【０００５】
しかし、従来のセーフティーコーンは本体部分が円錐形に形成されているため、どの方向からの横風があたっても転倒し易いという不具合がある。そのため、転倒防止用のおもりを乗せたり、路面に釘やアンカーボルトを打ち付けて固定するなど、転倒防止手当をする必要があった。
【０００６】
本発明はかかる実情に鑑みなされたものであり、その目的は、作業現場での危険性の予測及び作業性の安全を確保するに止まらず、設置作業性に優れ、保管スペースの削減ができ、しかも、横風が当たっても転倒し難い安全器材を、簡単な構造で提供せんとするものである。
【０００７】
また、間伐材などの廃棄木材を有効活用することは、本発明の他の目的とするところである。
【課題を解決するための手段】
【０００８】
上記課題を解決するために本発明が採用した手段は、請求項１の発明は、板状に形成されたボード本体と、該ボード本体の上方から嵌挿されその下端部を固定するベース部とからなるところに特徴を有する安全器材を、その要旨とする。
【０００９】
請求項２の発明は、板状に形成されボード本体と、前記ボード本体の下端部を固定する固定部を有するベース部とからなるところに特徴を有する安全器材を、その要旨とする。
【００１０】
請求項３の発明は、ボード本体と、該ボード本体の形状と相似的な形状を有する切込みを有するベース部との間が蝶番にて回動自在に連結されており、前記切込み内にボード本体を収納できるところに特徴を有する安全器材を、その要旨とする。
【００１１】
請求項４の発明は、請求項１〜３のいずれかに記載の安全器材において、前記ボード本体の上方に孔を穿設したものを、その要旨とする。
【発明の効果】
【００１２】
本発明に係る安全器材によると、つぎの実効性に優れた作用効果が得られる。
１）構造が簡単であり、間伐材などの廃棄木材を原材として容易に製造できるのでこれら    を有効活用することができる。
２）作業現場において簡単に組み付けできるため、設置作業性に優れ、保管スペースの削    減ができ、さらに、作業現場での危険性の予測及び作業性の安全を確保できる。
３）本体が板状に形成され横風を受け難くなっているので横風による転倒防止ができる。
４）ドライバーからは略三角錐の平面形状に視認できるが、道路横断方向はボード本体の    厚みの幅しか風圧を受けないため車道側に転倒しない。
【００１３】
請求項４の発明に係る安全器材によると、上記作用効果に加えて、
５）ボード本体の上方に備えた孔を介して連結用のロープ又は連結棒などの連結部材を備  えることでその複数個を例えば道路縦断方向に連結できるため、道路縦断方向への転倒  を防止することができる。
【発明を実施するための最良の形態】
【００１４】
以下、実施例により本発明をより具体的に説明するが、これらはその代表的なものを例示したに過ぎず、本発明はこれら実施例に限定されるものではない。
【００１５】
図１は実施例１の安全器材１０を模式的に示す分解斜視図であり、図２は同安全器材１０の概略斜視図である。
【００１６】
図において、この安全器材１０は、間伐材を厚さ２ｃｍの台形板状に製材し上方に孔１３を備えたボード本体１１（例えば上端の横幅６ｃｍ、下端の横幅２２ｃｍ、高さ７０ｃｍ）と、該ボード本体１１の下端部１２の形状と相似的な形状を有する中央孔１７を有するベース部１６（例えば一辺３５ｃｍで厚さ５ｃｍ）とから構成されており、前記中央孔１７の中に、ボード本体１１の下端部１２を係脱自在に挿嵌して略一体化することで（図１参照）、ベース部１６の上面側にボード本体１１を立設させるようになっている（図２参照）。
【００１７】
また、ボード本体１１の上方に穿設された孔１３は、安全器材１０を移動させる際の滑り止め取っ手として作用する。また、この孔１３に例えばロープや連結棒などの連結部材を通し（図示しない）、これにより、複数個の安全器材１０を連結できるようになっている。
【００１８】
つぎに、図３は実施例２の安全器材２０を模式的に示す分解斜視図であり、図４は同安全器材２０の概略斜視図である。
【００１９】
図において、この安全器材２０は、間伐材を厚さ２ｃｍの台形板状に製材し上方に孔２３を備えたボード本体２１（例えば上端の横幅６ｃｍ、下端の横幅２２ｃｍ、高さ７０ｃｍ）と、該ボード本体２１の下端部２２をボルト−ナットなどの締結手段２８によって固定する固定部２７を有するベース部２６（例えば一辺３５ｃｍで厚さ５ｃｍ）とから構成されており、ボード本体２１の下端部２２を係脱自在に固着させ略一体化することで（図１参照）、ベース部２６の上面側にボード本体２１を立設させるようになっている（図２参照）。
【００２０】
また、ボード本体２１の上方に穿設された孔２３が滑り止め取っ手として作用すること、この孔２３に例えばロープや連結棒などの連結部材を通し、これにより、複数個の安全器材２０を連結できることは、実施例１の安全器材１０において述べたとおりである。
【００２１】
なお、上記実施例１および実施例２において、前記ボード本体およびベース部の原材や寸法形状などを制限するものではなく、これらは設計変更可能な事項とする。これらが例えば間伐材などの廃棄木材や、廃プラスチック等のリサイクル原料を使用して製造されていると廃棄木材の有効活用ができるから好ましい。また、特にはボード本体が例えば赤地（又は黄地、緑地など）に彩色されており、その上に例えば白色の横縞或いは斜縞にて彩色されていると、より視認し易くなるため、作業現場での危険性の予測及び作業性の安全という観点において好適である。
【００２２】
さらに、ベース部にボード本体を立設固定する固定方法もまた制限するものではなく、例えば、ボード本体３１と、該ボード本体３１の形状と相似的な形状を有する切込み３７を有するベース部３６との間を蝶番３８にて回動自在に連結してブックエンド形状に構成したものであり（図５参照）、保管時には、切込み３７内にボード本体３１を収納して全体を平面上にするものなどが例示できる。
【図面の簡単な説明】
【００２３】
【図１】図１は実施例１の安全器材を模式的に示す分解斜視図である。
【図２】図２は同安全器材を概略的に示す分解斜視図である。
【図３】図３は実施例２の安全器材を模式的に示す分解斜視図である。
【図４】図４は同安全器材を概略的に示す分解斜視図である。
【図５】図５は他の安全器材を概略的に示す斜視図である。
【符号の説明】
【００２４】
１０  …  安全器材
１１  …  ボード本体
１２  …  下端部
１３  …  孔
１６  …  ベース部
１７  …  中央孔
２０  …  安全器材
２１  …  ボード本体
２２  …  下端部
２３  …  孔
２６  …  ベース部
２７  …  固定部
２８  …  締結手段
３０  …  安全器材
３１  …  ボード本体
３２  …  下端部
３３  …  孔
３６  …  ベース部
３７  …  切込み
３８  …  蝶番
【図１】
2005139787.tif 000003
【図２】
2005139787.tif 000004
【図３】
2005139787.tif 000005
【図４】
2005139787.tif 000006
【図５】
2005139787.tif 000007